(57)【要約】【課題】ランセットおよび測定ストリップを、直接手で触ることなく容易に取り外しかつ収容できるとともに、使用者以外の人への病気の感染の危険性を低下させることができる廃棄装置を提供する。【解決手段】頂部手段が、廃棄装置へ導入される血糖値測定装置を所定の位置に止めるための第１の案内部と、廃棄装置へ導入される穿刺装置を所定の位置に止めるための第２の案内部とを備え、ヘッド手段が、スイッチ部と、弾性係合部とを備え、弾性係合部が、ランセットまたは測定ストリップが開口部に導入されていない場合には、開口部を閉鎖し、かつランセットまたは測定ストリップが開口部に導入される場合には、開口部を構成する第２の案内部とスイッチ部とが協働して、開口部に挿入されたランセットまたは測定ストリップを押圧することを特徴とする。【選択図】      図３ｃ
2006109967.tif 000002
【特許請求の範囲】
【請求項１】
血糖値測定装置で血糖値を測定するときに用いられるランセットおよび測定ストリップの両方を、直接手で触ることなく、取り外しかつ収容するための廃棄装置であり、
前記ランセットは、測定すべき血液を滲み出させるために皮膚を穿刺する穿刺装置に取り付けられ、前記測定ストリップは、測定すべき血液が塗布される検知部を有し、かつ血糖値測定装置に電気的接続されるように取り付けられ、
前記廃棄装置が、
ランセットおよび測定ストリップが導入される頂部手段と、
頂部手段の下方に設けられて、ランセットを穿刺装置から取り外しあるいは測定ストリップを血糖値測定装置から取り外すために、ランセットまたは測定ストリップと係合するヘッド手段と、
該ヘッド手段に接続される第１の端部および該第１の端部とは反対側の第２の端部を有し、取り外されたランセットまたは測定ストリップが投入され、かつ該ランセットまたは測定ストリップを収容する収容手段と、
収容手段の第２の端部に取り外し可能に結合され、結合される場合には第２の端部を閉鎖する底部手段とを備える廃棄装置であって、
頂部手段が、廃棄装置へ導入される血糖値測定装置を所定の位置に止めるための第１の案内部と、廃棄装置へ導入される穿刺装置を所定の位置に止めるための第２の案内部とを備え、該第２の案内部が、収容手段の内部に開口する開口部を構成し、
ヘッド手段が、開口部に導入されたランセットまたは測定ストリップを押圧するために、使用者によって作動されるスイッチ部と、弾性係合部とを備え、ランセットまたは測定ストリップが開口部に導入されていない場合には、弾性係合部が開口部を閉鎖し、ランセットまたは測定ストリップが開口部に導入される場合には、開口部を構成する第２の案内部とスイッチ部とが協働して、開口部に挿入されたランセットまたは測定ストリップを押圧することを特徴とする廃棄装置。
【請求項２】
収容手段が、血糖値測定装置から取り外されて投入される測定ストリップまたは穿刺装置から取り外されて投入されるランセットを、所定の方向に案内する第３の案内部を有し、
底部手段が、収容手段の第２の端部から取り外され、かつ収容手段に投入される測定ストリップまたはランセットが、別の格納装置に格納されるように、廃棄装置が別の格納装置に対して接続可能であることを特徴とする、請求項１に記載の廃棄装置。
【発明の詳細な説明】
【技術分野】
【０００１】
本発明は、血糖値測定装置で血糖値を測定するときに用いられるランセットおよび測定ストリップの両方を、直接手で触ることなく、取り外しかつ収容するための廃棄装置に関する。
【背景技術】
【０００２】
糖尿病患者または糖尿病を疑われている人が、血糖値を自分で測定することができる携帯型の血糖値測定装置が知られている。このような血糖値測定装置を用いれば、家庭あるいは外出先でも血糖値の測定を自分で行うことができるため、自分の血糖値の状況を確実に把握することができ、適切な治療が可能になる。このような血糖値測定装置の一例が、特願２００３−１０８２２７号に開示されている。
【０００３】
図１に、このような血糖値測定装置１０の一例の斜視図を示す。この血糖値測定装置１０は、ケーシング１２および１４から構成され、ケーシング１２の表面１２ａには、表示部１６が設けられている。この表示部１６は、例えば液晶表示素子からなり、血糖値の測定結果（図１に示される例では、“１４１（ｍｇ／ｄＬ）”）、または血糖値測定に必要な手順に関する使用者に対するメッセージなどを表示することができる。またこの血糖値測定装置１０は、測定ストリップ４０が挿入される挿入口２０が設けられる。測定ストリップ４０は、測定すべき血液が塗布される検知部４２と、血糖値測定装置１０との電気的接続を可能にする端子部４４とを有する。さらに、血糖値測定装置１０のケーシング１２には、電源を入れるまたは電源を切るためのスイッチ１８が設けられる。
【０００４】
図２に、血糖値測定装置１０とともに使用される穿刺装置３０の一例の斜視図を示す。図２に示される穿刺装置３０は、本体３２と、針３８を有するランセット３６と、針３９が本体から押出されたときに針３９が貫通することができる開口部を有するキャップ３９とからなる。本体３２は、ランセット取り付け部３４を備え、このランセット取り付け部３４にランセット３６が取り付けられる。
【０００５】
血糖値測定装置１０により血糖値を測定するときには、まず、穿刺装置３０にランセット３６を取り付け、血糖値測定装置１０の挿入口２０に測定ストリップ４０を取り付ける。次に、穿刺装置３０を皮膚、例えば手の指先に接触させて、キャップ３９をしてランセット３６の針３８を押出して皮膚を穿刺する。穿刺された皮膚から滲み出させた血液を、測定ストリップ４０の検知部４２に塗布すると、血糖値の測定結果が、血糖値測定装置１０の表示部１６に表示される。以上で、一連の血糖値測定の手順が終了する。
【０００６】
このような血糖値測定の手順が終了した後、穿刺装置３０のランセット取り付け部３４に取り付けられた使用済みのランセット３６、および血糖値測定装置１０の挿入口２０に挿入された使用済みの測定ストリップ４０を、取り外して廃棄する処置が行なわれていた。
【０００７】
ランセット３６の従来の廃棄処置では、キャップ３９を外して血液が付着した使用済みのランセット３６を、素手で穿刺装置３０のランセット取り付け部３４から取り外して、あるいはランセット３６にカバーを付けてから素手で取り外して廃棄容器へ投入していた。また測定ストリップ４０の従来の廃棄処置では、血液が付着した使用済みの測定ストリップ４０を、素手でまたは測定ストリップ４０が封入されていた袋を介して手で、血糖値測定装置１０の挿入口２０から取り外して廃棄容器へ投入していた。その際に、ランセット３６に専用の廃棄容器はあったが、ランセット３６および測定ストリップ４０の両方を廃棄することができる廃棄容器は無かった。家庭において、例えばランセット３６の廃棄容器や、測定ストリップ４０の廃棄容器として、アルミ缶やペットボトルが用いられて、このような医療廃棄物を一般ごみと分別せずに廃棄されることもあった。
【０００８】
血液が付着した使用済みのランセット３６または測定ストリップ４０が、廃棄容器から何らかの理由により外部へ出ると、本人以外の人が、Ｂ型肝炎、Ｃ型肝炎、ＨＩＶなどに感染する危険性があった。このような医療廃棄物が、家庭から不適切な廃棄容器に入れられて一般ごみとして廃棄される場合には、ごみの回収またはごみの処理を実行する人へのこのような病気の感染の危険性もあった。
【０００９】
また、ランセットを固定して穿刺装置から取り外すための装置もあったが、それを単純に測定ストリップを取り外すために使用しようとしても、ランセットと測定ストリップとでは、固定すべき箇所や形状が違うために、十分に動作させることはできなかった。
【００１０】
さらに、ランセット３６あるいは測定ストリップ４０などの医療廃棄物は、医療機関から廃棄される場合には、その廃棄処理コストが医療廃棄物の容積や重さで決められていた。そのため、病院などの多量に医療廃棄物が出る医療機関では、不要な中間容器が存在せず、医療廃棄物の容積や重さを可能な限り低減させることで、医療廃棄物の廃棄処理コストを下げることが望まれていた。
【特許文献１】特願２００３−１０８２２７号明細書
【発明の開示】
【発明が解決しようとする課題】
【００１１】
本発明の目的は、血糖値測定装置で血糖値を測定するときに用いられるランセットおよび測定ストリップの両方を、直接手で触ることなく容易に取り外しかつ収容できるとともに、本人以外の人への血液を介する病気の感染の危険性を低下させることができる廃棄装置を提供することである。また、本発明の別の目的は、取り外したランセットおよび測定ストリップを中間容器に収容することなく、大容量の格納装置に直接収容することによって、医療廃棄物の廃棄処理コストを低減することができる廃棄装置を提供することである。
【課題を解決するための手段】
【００１２】
請求項１に係る発明によれば、血糖値測定装置で血糖値を測定するときに用いられるランセットおよび測定ストリップの両方を、直接手で触ることなく、取り外しかつ収容するための廃棄装置であり、
ランセットは、測定すべき血液を滲み出させるために皮膚を穿刺する穿刺装置に取り付けられ、測定ストリップは、測定すべき血液が塗布される検知部を有し、かつ血糖値測定装置に電気的接続されるように取り付けられ、
廃棄装置が、
ランセットおよび測定ストリップが導入される頂部手段と、
頂部手段の下方に設けられて、ランセットを穿刺装置から取り外しあるいは測定ストリップを血糖値測定装置から取り外すために、ランセットまたは測定ストリップと係合するヘッド手段と、
該ヘッド手段に接続される第１の端部および該第１の端部とは反対側の第２の端部を有し、取り外されたランセットまたは測定ストリップが投入され、かつ該ランセットまたは測定ストリップを収容する収容手段と、
収容手段の第２の端部に取り外し可能に結合され、結合される場合には第２の端部を閉鎖する底部手段とを備える廃棄装置であって、
頂部手段が、廃棄装置へ導入される血糖値測定装置を所定の位置に止めるための第１の案内部と、廃棄装置へ導入される穿刺装置を所定の位置に止めるための第２の案内部とを備え、該第２の案内部が、収容手段の内部に開口する開口部を構成し、
ヘッド手段が、開口部に導入されたランセットまたは測定ストリップを押圧するために、使用者によって作動されるスイッチ部と、弾性係合部とを備え、ランセットまたは測定ストリップが開口部に導入されていない場合には、弾性係合部が開口部を閉鎖し、ランセットまたは測定ストリップが開口部に導入される場合には、開口部を構成する第２の案内部とスイッチ部とが協働して、開口部に挿入されたランセットまたは測定ストリップを押圧することを特徴とする。
【００１３】
このような構成を有することによって、頂部手段が備える第１の案内部によって血糖値測定装置を所定の位置に止めることができ、かつ頂部手段が備える第２の案内部によって穿刺装置を所定の位置に止めることができるため、血糖値測定装置および穿刺装置を廃棄装置の開口部から所定の距離に配置して、スイッチ手段が係合するランセットまたは測定ストリップにおける位置を望ましい位置にすることができる。そのため、ランセットまたは測定ストリップの取り外しを容易に行なうことができる。さらに、ヘッド手段のスイッチ部と第２の案内部とによりランセットまたは測定ストリップを係合して、ランセットを穿刺装置から、あるいは測定ストリップを血糖値測定装置から、直接手で触ることなく取り外すことができ、その後、スイッチ部と第２の案内部との係合を解除することによって、取り外されたランセットまたは測定ストリップを、収容手段内部へ直接手で触れることなく投入することができる。また、ランセットまたは測定ストリップが開口部に挿入されていない場合には、弾性係合部によって、開口部が閉鎖されるため、収容手段に投入されたランセットまたは測定ストリップが外部へ出ることが妨げられ、本人以外の人への血液を介する病気の感染の危険性を低下させることができる。
【００１４】
請求項２に係る発明によれば、収容手段が、血糖値測定装置から取り外されて投入される測定ストリップまたは穿刺装置から取り外されて投入されるランセットを、所定の方向に案内する第３の案内部を有し、
底部手段が、収容手段の第２の端部から取り外され、かつ収容手段に投入される測定ストリップまたはランセットが、別の格納装置に格納されるように、廃棄装置が別の格納装置に対して接続可能であることを特徴とする。
【００１５】
このような構成を有することによって、底部手段を収容手段から取り外して、廃棄装置を別の大容量の格納装置に接続するときに、投入されたランセットまたは測定ストリップが、収容手段の第３の案内部によって所定の方向に案内されるため、ランセットまたは測定ストリップが、別の格納装置に格納されずに格納装置外部へ散乱する危険性が低減される。そのため、ランセットまたは測定ストリップに付着した血液による本人以外の人への血液を介する病気の感染の危険性を低下させるができるとともに、収容手段などの中間容器を使用することを排除して、医療廃棄物の廃棄処理コストを低減することができる。
【００１６】
以下、図面を参照して、本発明の詳細な説明を行う。
【発明を実施するための最良の形態】
【００１７】
図３ａから図３ｅに、本発明の廃棄装置１００の断面図を示し、廃棄装置１００を用いて、穿刺装置３０からランセット３６を取り外して、廃棄装置１００内部へ収容する様子を示す。
【００１８】
図３ａに示されるように、廃棄装置１００は、頂部手段１１０、ヘッド手段１２０、収容手段１３０、および底部手段１４０を有する。
【００１９】
頂部手段１１０には、血糖値測定装置１０を所定の位置に止めるための第１の案内部１１２である段差と、穿刺装置３０を所定の位置に止めるための第２の案内部１１４であるすりばち状の部分とが設けられる。第２の案内部１１４は、廃棄装置１１０内部の収容手段１３０に開口する開口部１１６を構成する。図５に、廃棄装置１００を上から見た図を示す。開口部１１６から第１の案内部１１２および第２の案内部１１４までの高さ方向の距離は、スイッチ手段１２０によるランセット３６または測定ストリップ４０を係合する位置が、望ましい場所であるように設定される。第２の案内部１１４はすりばち状であるために、中央に設けられた開口部１１６にランセット３６および測定ストリップ４０を誘導することができる。
【００２０】
ヘッド手段１２０が、この頂部手段１１０の下方に備えられる。ヘッド手段１２０は、スイッチ部１２２と、弾性係合部１２８とを有する。図４に、スイッチ部１２２および弾性係合部１２８の一例を拡大した図を示す。スイッチ部１２２は、開口部１１６に挿入されたランセット３６または測定ストリップ４０を押圧するために、使用者によって作動される。弾性係合部１２８は、図３ａに示されるように、開口部１１６にランセット３６または測定ストリップ４０が導入されないときには、開口部１１６を閉鎖し、収容手段１３０内部に収容されたランセット３６または測定ストリップ４０が、収容手段１３０の外部へ出ることを防ぐ。
【００２１】
収容手段１３０は、ヘッド手段１２０に接続される第１の端部１３２と、第１の端部１３２とは反対側の第２の端部１３４とを備え、さらに、内部に第３の案内部１３６を有する。図３ａに示される例では、第１の端部１３２がヘッド手段１２０と一体化されている。第３の案内部１３６は、収容手段１３０内に投入されたランセット３６または測定ストリップ４０を、所定の方向に案内するためのものであり、図３ａに示される例では、収容手段１３０のほぼ中央に案内するように構成されている。
【００２２】
底部手段１４０は、収容手段１３０の第２の端部１３４に取り外し可能に結合され、図３ａに示される例では、底部手段１４０が収容手段１３０の第２の端部１３４に結合されて、第２の端部１３４で収容手段１３０を閉鎖している。
【００２３】
図３ａは、穿刺装置３０が廃棄装置１００に導入される前の状態である。
【００２４】
図３ｂは、穿刺装置３０が廃棄装置１００に導入されて、第２の案内部１１４によって所定の位置で止められている状態である。開口部１１６を通る穿刺装置３０のランセット３６によって、弾性係合部１２８は下方へ押し下げられている。
【００２５】
図３ｃは、スイッチ部１２２を使用者が押し込み、開口部１１６内に導入された穿刺装置３０のランセット３６を押圧している状態を示す。図３ｃに示される例では、ランセット３６は、スイッチ部１２２と、第２の案内部１１４とによって押圧されている。スイッチ部１２２は、図４に示されるように、ランセット３６の外形とほぼ一致するくぼみ１２４を有している。このようなくぼみ１２４を有すると、ランセット３６との接触面積を増大することができ、より大きな力で押圧することができる。また、スイッチ部１２２は、廃棄装置１００の高さ方向に一定の厚みの部分１２６を有することができ、この一定の厚みの部分１２６によって、ランセット３６または測定ストリップ４０との接触面積を増大することができる。
【００２６】
図３ｄは、ランセット３６が、スイッチ部１２２と、第２の案内部１１４とによって押圧されている状態で、ランセット３６を穿刺装置３０から引き抜いて、取り外した状態を示す。
【００２７】
図３ｅは、スイッチ部１２２が初期の位置に戻され、穿刺装置３０から取り外されたランセット３６が、収容手段１３０内部に収容された状態を示す。使用者が、スイッチ部を押し込む動作を解放すると、弾性係合部１２８が開口部１１６を閉鎖する位置に戻り、スイッチ部１２２を押して初期の位置に戻す。弾性係合部１２８が開口部１１６を閉鎖するので、収容手段１３０内部から、収容されたランセット３６が外部へ出る危険性は低減されている。また、密閉ふた１５０により、運搬の際に収容されたランセット３６が外部へ出る危険性は、きわめて少ないように工夫されている。
【００２８】
図６ａから図６ｅに、本発明の廃棄装置１００を用いて、血糖値測定装置１０から測定ストリップ４０を取り外して、廃棄装置１００内部へ収容する様子を示す。これらの図６ａから図６ｅは、図３ａから図３ｅにそれぞれ対応する段階を示している。
【００２９】
図６ａは、血糖値測定装置１０が、廃棄装置１００に導入される前の状態であり、図３ａと同様に、弾性係合部１２８によって開口部１１６は閉鎖されている。
【００３０】
図６ｂは、血糖値測定装置１０が、廃棄装置１００に導入されて、第１の案内部１１２によって所定の位置で止められている状態である。開口部１１６を通る血糖値測定装置１０の測定ストリップ４０によって、弾性係合部１２８は下方へ押し下げられている。なお、測定ストリップ４０の先端の検知部４２に塗布した血液が、弾性係合部１２８と可能な限り接触しないように、開口部１１６から第１の案内部１１２までの距離を設定することができる。
【００３１】
図６ｃは、スイッチ部１２２を使用者が押し込み、開口部１１６内に導入された血糖値測定装置１０の測定ストリップ４０を押圧している状態を示す。図６ｃに示される例では、測定ストリップ４０は、スイッチ部１２２と、第２の案内部１１４とによって押圧されている。図６ｃに示される測定ストリップ４０は押圧されて変形している。
【００３２】
図６ｄは、測定ストリップ４０が、スイッチ部１２２と、第２の案内部１１４とによって押圧されている状態で、測定ストリップ４０を血糖値測定装置１０から引き抜いて、取り外した状態を示す。
【００３３】
図６ｅは、スイッチ部１２２が初期の位置に戻され、血糖値測定装置１０から取り外された測定ストリップ４０が、収容手段１３０内部に収容された状態を示す。図３ｅと同様に、使用者が、スイッチ部を押し込む動作を解放すると、弾性係合部１２８が開口部１１６を閉鎖する位置に戻り、スイッチ部１２２を押して初期の位置に戻す。弾性係合部１２８が開口部１１６を閉鎖するので、収容手段１３０内部から、収容された測定ストリップ４０が外部へ出る危険性は低減されている。なお、図３ｅと同様に、密閉ふた１５０を取り付けることができる。
【００３４】
このように、本発明の廃棄装置１００を用いて、血糖値測定装置１０または穿刺装置３０を導入して開口部１１６から所定の位置に止め、測定ストリップ４０またはランセット３６を、直接手で触ることなく取り外して収容することができる。
【００３５】
図７に、収容手段１３０から底部手段１４０を取り外し、別の格納装置２００に接続した場合の様子を示す。収容手段１３０の第３の案内部１３６によって、収容手段１３０に投入されたランセット３６または測定ストリップ４０は、所定の方向に案内され、例えば図７に示される例では、収容手段１３０の中央に案内されて、別の格納装置２００へと投入される。第３の案内手段１３６によって所定の方向に案内されるため、ランセット３６または測定ストリップ４０が、別の格納装置２００へ投入されたときに、別の格納装置２００の外へ散乱する危険性は著しく低減される。さらに、大容量の別の格納装置２００に直接収容して、収容手段１３０などの中間容器を必要としないために、医療廃棄物の容積および重さを低減して、医療廃棄物の廃棄処理コストを低減することができる。なお、底部手段１４０を取り外した状態で、廃棄装置１００をテーブルまたは台などの上に直接置いたときに、収容手段１３０内部の汚れ（血液など）が、テーブルまたは台などに移らないように、収容手段１３０の底部手段１４０と結合される部分を構成することができる。
【００３６】
図８から図１１に、スイッチ部および弾性係合部の別の実施形態を示す。
【００３７】
図８および図９に示される別の実施形態では、弾性係合部の形状が、図４に示される弾性係合部１２８とは異なる。図８に示される実施形態では、弾性係合部は、係合部３００と弾性部３０２とから構成される。開口部１１６にランセット３６または測定ストリップ４０が導入されて、係合部３００と接触すると、係合部３００が下方へ向けて変位して、開口部１１６から下方へランセット３６または測定ストリップ４０がさらに導入されることを可能にする。ランセット３６または測定ストリップ４０が開口部１１６へさらに導入されると、係合部３００は、弾性部３０２の作用によって、図８に矢印Ｄで示される方向にスイッチ部１２２とは反対側に変位される。係合部３００が、開口部１１６に導入されたランセット３６または測定ストリップ４０に対して、弾性部３０２の作用によって押圧される。ランセット３６または測定ストリップ４０が、開口部１１６から取り除かれると、弾性部３０２の作用によって係合部３００は開口部１１６を閉鎖する。
【００３８】
図９に示される実施形態は、弾性部３１２の形状が図８に示される実施形態の弾性部３０２とは異なるが、同じ作用を行う。
【００３９】
図１０ａおよび図１０ｂに示されるさらに別の実施形態では、弾性部３２０が、中央で２つに分かれて図１０ｂに示されるような方向Ｒに開くように構成されている。スイッチ部１２２の両側の部分１２２’は、スイッチ部１２２が押し込まれると、弾性部３２０の端面３２２に接触して、弾性部３２０を押し開くように構成されている。図８に示される実施形態と同様に、開口部１１６にランセット３６または測定ストリップ４０が接触すると、弾性部３２０が下方へ向けて変位して、ランセット３６または測定ストリップ４０が、開口部１１６からさらに内部へ導入されることを可能にする。図１０ｂは、ランセット３６が、弾性部３２０とスイッチ部１２２との間で押圧されている状態を示す。
【００４０】
図１１ａから図１１ｃに示される他の実施形態では、スイッチ部３３０が、押し込まれるのではなく、図１１ａにおいて矢印Ｘで示されるように水平方向に移動する。スイッチ部３３０は、測定ストリップを押圧するための部分３３２と、ランセットを押圧するための部分３３４とを有する。係合弾性部は、係合部３４０と弾性部３４２とを備える。この実施形態の場合も、開口部１１６に導入されたランセット３６または測定ストリップ４０が、係合部３４０に接触すると、係合部３４０が下方へ向けて変位して、ランセット３６または測定ストリップ４０がさらに導入されることを可能にする。ランセット３６または測定ストリップ４０が導入されると、弾性部３４２が圧縮される。測定ストリップ４０の場合には、スイッチ部３３０を図１１ｂにおいて左に動かして、測定ストリップを押圧するための部分３３２と係合部３４０との間で、測定ストリップ４０を押圧する。一方、ランセット３６の場合には、スイッチ部３３０を図１１ｃにおいて右に動かして、ランセットを押圧するための部分３３４と係合部３４０との間で、ランセット３６を押圧する。スイッチ部３３０の測定ストリップを押圧するための部分３３２およびランセットを押圧するための部分３３４、ならびに対応する係合部３４０の形状は、それぞれ測定ストリップおよびランセットを係合するために適した形状を有することができる。
【００４１】
なお、廃棄装置１００の材料としては、焼却しても有害な物質を発生しない材料が好ましく、例えばポリエチレン、ポリプロピレンなどを使用することができる。また収容手段１３０の壁の厚みは、ランセット３６から突出する針３８の長さより厚くすることもできる。このような厚みを有する廃棄装置１００は、強力な力が加えられて廃棄装置１００が潰されても、針３８の先端が廃棄装置１００から出る危険性を低減することができる。また、廃棄装置１００の形状は、使用者が手に持って操作するときに、持ち易く使用者の手に合った形状を有することができる。さらに、スイッチ部１２２は、使用者の指によって押し込むことを容易にし、かつ使用者の指がスイッチ部１２２で滑ることを防止するように、スリットなどを設けることができる。
【００４２】
また、ランセット３６にカバーを付けた状態で、廃棄するように頂部手段およびヘッド手段を構成することもできる。或いは、インシュリンの投与のために使用した注射器の針の部分も廃棄できるように廃棄装置を構成することもできる。
【００４３】
本発明の廃棄装置は、添付の図面に示され、実施形態で説明された好ましい形態以外の様々な変形形態が可能である。
【図面の簡単な説明】
【００４４】
【図１】血糖値測定装置の斜視図を示す。
【図２】穿刺装置の斜視図を示す。
【図３ａ】本発明の廃棄装置の動作を示す。
【図３ｂ】本発明の廃棄装置の動作を示す。
【図３ｃ】本発明の廃棄装置の動作を示す。
【図３ｄ】本発明の廃棄装置の動作を示す。
【図３ｅ】本発明の廃棄装置の動作を示す。
【図４】スイッチ部および弾性係合部の拡大図を示す。
【図５】本発明の廃棄装置を上から見た図を示す。
【図６ａ】本発明の廃棄装置の動作を示す。
【図６ｂ】本発明の廃棄装置の動作を示す。
【図６ｃ】本発明の廃棄装置の動作を示す。
【図６ｄ】本発明の廃棄装置の動作を示す。
【図６ｅ】本発明の廃棄装置の動作を示す。
【図７】本発明の廃棄装置を別の格納装置に接続した様子を示す。
【図８】スイッチ部および弾性係合部の別の実施形態を示す。
【図９】スイッチ部および弾性係合部の別の実施形態を示す。
【図１０ａ】スイッチ部および弾性係合部の別の実施形態を示す。
【図１０ｂ】スイッチ部および弾性係合部の別の実施形態を示す。
【図１１ａ】スイッチ部および弾性係合部の別の実施形態を示す。
【図１１ｂ】スイッチ部および弾性係合部の別の実施形態を示す。
【図１１ｃ】スイッチ部および弾性係合部の別の実施形態を示す。
【符号の説明】
【００４５】
１０  血糖値測定装置
２０  挿入口
３０  穿刺装置
３２  本体
３４  ランセット取り付け部
３６  ランセット
３８  針
３９  キャップ
４０  測定ストリップ
１００  廃棄装置
１１０  頂部手段
１１２  第１の案内部
１１４  第２の案内部
１１６  開口部
１２０  ヘッド手段
１２２  スイッチ部
１２８  弾性係合部
１３０  収容手段
１３６  第３の案内部
１４０  底部手段
１５０  密閉ふた
２００  別の格納装置
【図１】
2006109967.tif 000003
【図２】
2006109967.tif 000004
【図３ａ】
2006109967.tif 000005
【図３ｂ】
2006109967.tif 000006
【図３ｃ】
2006109967.tif 000007
【図３ｄ】
2006109967.tif 000008
【図３ｅ】
2006109967.tif 000009
【図４】
2006109967.tif 000010
【図５】
2006109967.tif 000011
【図６ａ】
2006109967.tif 000012
【図６ｂ】
2006109967.tif 000013
【図６ｃ】
2006109967.tif 000014
【図６ｄ】
2006109967.tif 000015
【図６ｅ】
2006109967.tif 000016
【図７】
2006109967.tif 000017
【図８】
2006109967.tif 000018
【図９】
2006109967.tif 000019
【図１０ａ】
2006109967.tif 000020
【図１０ｂ】
2006109967.tif 000021
【図１１ａ】
2006109967.tif 000022
【図１１ｂ】
2006109967.tif 000023
【図１１ｃ】
2006109967.tif 000024